(57)【特許請求の範囲】
【請求項１】
シャフト長手方向の第一領域に第一色の塗料を噴射し、シャフト長手方向の第二領域に第二色の塗料を噴射し、上記第一領域と上記第二領域との重複部分に、上記第一色から上記第二色へと徐々に変化するグラデーション部を設けるゴルフクラブシャフトの塗装方法であって、
シャフト長手方向の位置及び移動速度が互いに独立して制御されうる第一スプレーガン及び第二スプレーガンを用い、
上記第一スプレーガンと上記第二スプレーガンとは互いに同一直線上を移動するとともに、これら第一スプレーガンと第二スプレーガンとは、互いに干渉しないように制御されており、
上記第一スプレーガンが上記第一色の塗料を噴射し、上記第二スプレーガンが上記第二色の塗料を噴射するとともに、これらの第一スプレーガン及び第二スプレーガンの制御により上記第一スプレーガンから周囲に噴射された第一色の塗料と上記第二スプレーガンから周囲に噴射された第二色の塗料とがウエット・オン・ウエットで塗り重ねられて上記グラデーション部が形成される工程を含み、
上記第一スプレーガン及び第二スプレーガンの噴射角内においては中心位置において塗布量が多くなっており、
上記第一スプレーガンの移動時刻の少なくとも一部と、上記第二スプレーガンの移動時刻の少なくとも一部とが、重複しており、
２本のシャフトが略平行に保持され、これら２本のシャフトの間には間隔Ｋが存在し、上記スプレーガンの噴射の中心線Ｌが上記間隔Ｋの中心に配向しており、
上記２本のシャフトのそれぞれが軸回転しており、これらの軸回転の方向は、両シャフト間に噴射される塗料の流れに沿った方向とされているゴルフクラブシャフトの塗装方法。
【請求項２】
上記第一スプレーガンの噴射中の移動範囲と、上記第二スプレーガンの噴射中の移動範囲とは、互いに重複しない請求項１に記載のゴルフクラブシャフトの塗装方法。
【請求項３】
シャフト長手方向の第一領域に第一色の塗料を噴射し、シャフト長手方向の第二領域に第二色の塗料を噴射し、シャフト長手方向の第三領域に第一色の塗料を噴射し、上記第一領域と上記第二領域との重複部分及び上記第二領域と上記第三領域との重複部分に、上記第一色から上記第二色へと徐々に変化するグラデーション部を設けるゴルフクラブシャフトの塗装方法であって、
第一スプレーガンが上記第一色の塗料を上記第一領域及び上記第三領域に噴射し、第二スプレーガンが上記第二色の塗料を上記第二領域に噴射するとともに
上記第一スプレーガン及び上記第二スプレーガンの移動は、上記シャフトの一端側から他端側への片道移動のみであり、
上記第一スプレーガンの移動時刻と、上記第二スプレーガンの移動時刻とが重複している請求項１に記載のゴルフクラブシャフトの塗装方法。
【請求項４】
上記第一スプレーガン及び第二スプレーガンは、移動途中で停止しない請求項３に記載のゴルフクラブシャフトの塗装方法。
【請求項５】
非噴射中の上記第一スプレーガン及び第二スプレーガンは、噴射中の上記第一スプレーガン及び第二スプレーガンよりも高速で移動する請求項３に記載のゴルフクラブシャフトの塗装方法。
【発明の詳細な説明】
【技術分野】
【０００１】
本発明は、ゴルフクラブシャフトの塗装方法に関する。
【背景技術】
【０００２】
ゴルフクラブシャフト（以下、単にシャフトともいう）は、塗装されることがある。特に、ＣＦＲＰ（炭素繊維強化プラスチック）製のゴルフクラブシャフトには、通常、塗装が施される。ゴルファーの好みの多様性を反映して、塗装色は様々である。
【０００３】
デザイン性等の観点から、ゴルフクラブシャフトがグラデーション塗装されることがある。また、シャフト色がゴルファーの心理に影響を与えることがあり、この心理面を考慮してグラデーション塗装がなされることがある。
【０００４】
ところで、シャフトの塗装方法として、しごき塗装、スプレー塗装及び静電塗装が知られている。しごき塗装は、シャフト表面に塗料を供給しつつ、ゴムシートに設けられたシャフト外径よりも小径の穴にシャフトを通し、ゴムシートにより余剰の塗料をしごき落としながら塗装する塗装方法である。スプレー塗装は、霧状に噴霧された非帯電の塗料をシャフト表面に吹き付ける塗装方法である。静電塗装は、アースした被塗装物を陽極、静電塗装機を陰極とし、噴霧した塗料を負に帯電させることにより被塗装物に効率良く塗料を付着させる塗装方法である。静電塗装機は、周知の如く、ベルタイプ、ガンタイプ及びディスクタイプに大別される。
【０００５】
グラデーション塗装には、２色以上の塗料が用いられる。グラデーション部は、第一色から第二色へと徐々に変化する部分である。第一色と第二色とは、色彩が異なっていてもよいし、同一色彩で濃度が異なっていても良い。このグラデーション部を美観よく効率的に作製するには、第一色の塗料と第二色の塗料とを塗り重ねる。具体的には、まず、第一色の塗料でシャフトを塗装する。この第一色の塗料は、グラデーション部において下層の塗膜を構成する。次に、第一色の塗膜の上に第二色の塗料を塗装する。上層である第二色が、下層である第一色を完全に隠蔽しない状態とすることにより、第一色と第二色との中間的な外観が生成される。第二色の隠蔽度を連続的又は段階的に変化させることにより、グラデーション部が生成される。隠蔽度の変化は、例えば塗布量（単位面積当たりの塗布量）の連続的な変化によりなされる。
【０００６】
塗布量の連続的な変化は、例えば、霧状に噴霧された塗料により可能とされる。霧状に噴霧された塗料は、通常、噴霧範囲の中心部から周辺部に向かって徐々に塗布量（単位面積当たりの塗布量）が減少する。この塗布量の分布を利用してグラデーション部が生成されうる。塗料を霧状に噴霧してグラデーション部を形成するためには、上層の塗料が霧状に噴霧される必要がある。よって上層は、スプレー塗装又は静電塗装により塗装される。下層の塗料は、任意の方法で可能である。下層は、スプレー塗装や静電塗装の他、しごき塗装でも塗装されうる。特開２００２−３３６３９３は、ディスクタイプの静電塗装機により塗料を噴霧し、グラデーション塗装を行う技術を開示する。
【特許文献１】特開２００２−３３６３９３公報
【発明の開示】
【発明が解決しようとする課題】
【０００７】
グラデーション部において噴霧された上層の塗料は、下層の表面にドット状（散点状）に付着する。このドットの密度や各ドットの大きさなどが連続的に変化することにより、グラデーション部が形成されうる。従来技術では、下層の塗料が乾燥した後に、上層が塗装される。換言すれば、上層はウエット・オン・ドライで塗装される。本発明者は、ウエット・オン・ドライの状態で霧状に噴霧された上層の塗料は、レベリングが十分になされていないことを見出した。レベリングが十分でない上層の塗料は、塗料の各ドットが凸となり、表面が粗い（ザラザラの）状態となる。表面粗度が粗いシャフトは、光沢感に乏しい。表面粗度の粗さは、商品価値を低下させる。塗装面の表面粗度を改善するためには、上層の上にクリア塗料が厚く塗られる必要がある。
【０００８】
本発明者は、ウエット・オン・ドライで塗装された場合、グラデーション部の上層のドット模様が目立つことを見出した。ドット模様が目立つことは、グラデーション塗装の美観を損なう。 
【０００９】
前述した先行技術は、ディスクタイプの静電塗装機を用いることにより、グラデーション部の位置（シャフト長手方向位置）の精度を高めている。製品間のバラツキを抑える観点から、グラデーション部の位置精度は、高いほど好ましい。一般に、静電塗装は、スプレー塗装と比較して、グラデーション部の位置精度が低くなりやすい。静電塗装の塗料粒子は、静電引力により被塗装物に付着する。静電塗装の塗料粒子が空気中を飛散する勢いは、スプレー塗装の場合よりも少ない。静電塗装の塗料粒子の付着位置は、スプレー塗装の場合と比較して、塗装時の温度や湿度などの環境に影響されやすい。塗装時の温度や湿度は、塗料の溶剤の揮発度に影響を与える。溶剤の揮発度は、塗料粒子の大きさ、重量、密度などに影響を与える。溶剤の揮発度は、塗料粒子の飛散の仕方に影響を与える。
【００１０】
塗料の無駄を抑制するためのは、非グラデーション部において上層塗料と下層塗料との重複を避けるのが好ましい。一方、グラデーション部には下層塗料が確実に塗布されている必要がある。グラデーション部において下層塗料の塗布が不十分であると下地が隠蔽されない恐れがある。下層の塗装位置の位置精度が悪い場合、塗装位置の誤差を吸収するために、下層の塗布範囲の設定を拡張する必要が生じる。この拡張は、下層塗料の無駄を増大させる。
【００１１】
本発明の目的は、美観に優れ且つ塗装位置の精度が高いグラデーション塗装を可能とするゴルフクラブシャフトの塗装方法の提供にある。
【課題を解決するための手段】
【００１２】
本発明に係るゴルフクラブシャフトの塗装方法は、シャフト長手方向の第一領域に第一色の塗料を噴射し、シャフト長手方向の第二領域に第二色の塗料を噴射し、上記第一領域と上記第二領域との重複部分に、上記第一色から上記第二色へと徐々に変化するグラデーション部を設けるゴルフクラブシャフトの塗装方法であって、シャフト長手方向の位置及び移動速度が互いに独立して制御されうる第一スプレーガン及び第二スプレーガンを用い、上記第一スプレーガンが上記第一色の塗料を噴射し、上記第二スプレーガンが上記第二色の塗料を噴射するとともに、これらの第一スプレーガン及び第二スプレーガンの制御により上記第一色の塗料と上記第二色の塗料とがウエット・オン・ウエットで塗り重ねられて上記グラデーション部が形成される工程を含む。
【００１３】
好ましくは、上記塗装方法において、上記第一スプレーガンの噴射中の移動範囲と、上記第二スプレーガンの噴射中の移動範囲とは、互いに重複しない。
【００１４】
好ましくは、上記塗装方法において、上記第一スプレーガンと上記第二スプレーガンとは互いに同一直線上を移動するとともに、これら第一スプレーガンと第二スプレーガンとは、互いに干渉しないように制御される。
【００１５】
好ましくは、上記塗装方法において、シャフト長手方向の第一領域に第一色の塗料を噴射し、シャフト長手方向の第二領域に第二色の塗料を噴射し、シャフト長手方向の第三領域に第一色の塗料を噴射し、上記第一領域と上記第二領域との重複部分及び上記第二領域と上記第三領域との重複部分に、上記第一色から上記第二色へと徐々に変化するグラデーション部を設けるゴルフクラブシャフトの塗装方法であって、第一スプレーガンが上記第一色の塗料を上記第一領域及び上記第三領域に噴射し、第二スプレーガンが上記第二色の塗料を上記第二領域に噴射するとともに、上記第一スプレーガン及び上記第二スプレーガンの移動は、上記シャフトの一端側から他端側への片道移動のみであり、上記第一スプレーガンの移動時刻と、上記第二スプレーガンの移動時刻とが重複している。
【００１６】
好ましくは、上記塗装方法において、上記第一スプレーガン及び第二スプレーガンは、移動途中で停止しない。
【００１７】
好ましくは、上記塗装方法において、非噴射中の上記第一スプレーガン及び第二スプレーガンは、噴射中の上記第一スプレーガン及び第二スプレーガンよりも高速で移動する。
【発明の効果】
【００１８】
シャフト長手方向の位置及び移動速度が互いに独立して制御されうる第一スプレーガン及び第二スプレーガンを用いたので、グラデーション部をウエット・オン・ウエットで塗装することができる。また、グラデーション部の位置精度が高まる。  
【発明を実施するための最良の形態】
【００１９】
以下、適宜図面が参照されつつ、好ましい実施形態に基づいて本発明が詳細に説明される。
【００２０】
図１は、本発明の一実施形態である塗装方法が実施される様子を上方からみた平面図である。図２は、図１の側面図である。 
【００２１】
この塗装方法では、ゴルフクラブシャフト２が塗装される。シャフト２の外面の断面は円形である。シャフト２の内部は中空である。シャフト２は、テーパー形状を有している。ゴルフクラブに適用される際に、シャフト２の細径側端部（チップ端とも称される）ｔにヘッドが装着され、シャフト２の太径側端部（バット端とも称される）ｂにグリップが装着される。シャフト２は、例えばＣＦＲＰ（炭素繊維強化プラスチック）製である。ＣＦＲＰ製のシャフト２は、通常、塗装を必要とする。塗装に先立ち、シャフト２の表面は研磨処理される。
【００２２】
本塗装方法は、塗装装置４により行われる。塗装装置４は、シャフトの両端部を保持するシャフト保持部６を有する。シャフト保持部６は、シャフト２を着脱自在に保持する。シャフト保持部６に保持された状態では、シャフト２は移動しない。ただし、シャフト保持部６に保持された状態において、シャフト２はシャフト軸線ｚ１周りに回転（軸回転）する（図１の矢印参照）。塗装中、シャフト２はシャフト軸線ｚ１周りに回転する。シャフト軸線ｚ１周りの回転により、塗布量がシャフト２の周方向に対して均等化される。シャフト軸線ｚ１周りの回転の回転数は、例えば３５０ｒｐｍ程度である。
【００２３】
塗装装置４は、第一スプレーガン８と第二スプレーガン１０とを有する。また塗装装置４は、ガン駆動部７を有する。ガン駆動部７は、第一支持体１２、第二支持体１４、基台部１６、２本のリニアガイド１８、第一ボールネジ２０、第二ボールネジ２２、第一モータ２６及び第二モータ２８を有する。第一スプレーガン８は、第一支持体１２に固定されている。第二スプレーガン１０は、第二支持体１４に固定されている。更に塗装装置４は、基台部１６と、この基台部１６上に配置されたリニアガイド１８と、基台部１６上に配置された第一ボールネジ２０及び第二ボールネジ２２とを有する。リニアガイド１８は２本である。２本のリニアガイド１８と、第一ボールネジ２０と、第二ボールネジ２２とは、それぞれ互いに平行に配置されている。シャフト保持部６に保持されたシャフト２は、リニアガイド１８、第一ボールネジ２０及び第二ボールネジ２２と平行に配置される。シャフト２のシャフト軸線ｚ１が第一ボールネジ２０等と平行とされてもよく、シャフト２のスプレー配置側の輪郭線２４（図１参照）が第一ボールネジ２０等と平行とされてもよい。
【００２４】
図１で示されるように、２本のボールネジ２０、２２の両側にリニアガイド１８が配置されている。第一支持体１２及び第二支持体１４は、２本のリニアガイド１８によりガイドされる。第一支持体１２及び第二支持体１４は、リニアガイド１８上を往復しうる。第一支持体１２及び第二支持体１４の移動方向は、リニアガイド１８と平行な方向に規制される。第一支持体１２及び第二支持体１４の移動は、リニアガイド１８と平行な直進移動のみに規制されている。第一スプレーガン８及び第二スプレーガン１０の移動方向も、リニアガイド１８と平行な方向に規制される。第一スプレーガン８及び第二スプレーガン１０は、シャフト保持部６に保持されたシャフト２に沿って動く。第一スプレーガン８及び第二スプレーガン１０は、同一直線上を移動する。図２において、第二スプレーガン１０は、第一スプレーガン８の裏側に隠れているため図示されない。
【００２５】
第一ボールネジ２０は、第一モータ２６により軸回転する。図示されないが、第一ボールネジ２０と第一モータ２６との間に減速ギア等のギアが介装されてもよい。ギアは、第一ボールネジ２０の回転数や回転トルクを調整する。第二ボールネジ２２は、第二モータ２８により軸回転する。図示されないが、第二ボールネジ２２と第二モータ２８との間にギアが介装されてもよい。ギアは、第二ボールネジ２２の回転数や回転トルクを調整する。
【００２６】
第一モータ２６及び第二モータ２８は、サーボモータとされている。サーボモータは、回転数、回転量及び回転速度の制御精度が高い。制御精度の観点から、より好ましくは、サーボモータはＡＣサーボモータとされる。サーボモータの他、ステッピングモータや汎用モータが利用可能である。汎用モータは、例えば汎用インバータと共に用いられる。
【００２７】
図示されないが、第一モータ２６及び第二モータ２８は、ロータリーエンコーダを内蔵している。ロータリーエンコーダは、モータ２６、２８の角度位置を検出する。ロータリーエンコーダによる情報が、モータ２６、２８の制御に利用される。
【００２８】
第一ボールネジ２０の回転により第一支持体１２は移動する。第一支持体１２の移動量は第一ボールネジ２０の回転量により制御される。第一支持体１２の移動速度は第一ボールネジ２０の回転速度により制御される。第一ボールネジ２０と第一モータ２６とが、第一支持体１２を駆動する。第一ボールネジ２０は、第一支持体１２と係合しているが、第二支持体１４と係合していない。第一支持体１２は、第二ボールネジ２２と離間している。
【００２９】
第二ボールネジ２２の回転により第二支持体１４は移動する。第二支持体１４の移動量は第二ボールネジ２２の回転量により制御される。第二支持体１４の移動速度は第二ボールネジ２２の回転速度により制御される。第二ボールネジ２２と第二モータ２８とが、第二支持体１４を駆動する。第二ボールネジ２２は、第二支持体１４と係合しているが、第一支持体１２と係合していない。第二支持体１４は、第一ボールネジ２０と離間している。
【００３０】
第一支持体１２と第二支持体１４とは、その位置及び移動速度が互いに独立して制御されうる。よって、第一スプレーガン８のシャフト長手方向の位置及び移動速度は、第二スプレーガン１０とは独立して制御されうる。第二スプレーガン１０のシャフト長手方向の位置及び移動速度は、第一スプレーガン８とは独立して制御されうる。制御は、制御部（図示されない）によりなされる。制御部は、制御条件を入力しうる入力部と、制御条件を表示しうる表示部とを有している。典型的な制御部は、ＣＰＵ、メモリ、ディスプレイ及びキーボードを備えたコンピュータである。典型的な入力部は、キーボードである。典型的な表示部は、ディスプレイである。制御部は、第一モータ２６及び第二モータ２８に接続されている。制御部は、第一ボールネジ２０及び第二ボールネジ２２の回転速度及び回転量を制御する。
【００３１】
図２に示されるように、第一スプレーガン８及び第二スプレーガン１０とシャフト２とは、互いに同じ高さで配置される。シャフト２は略水平に配置される。後述するように、シャフト２は略垂直に配置されてもよい。スプレーガン８、１０の噴射口とシャフト２の表面との距離は、スプレーガン８、１０の位置に関わらず略一定である。スプレーガン８、１０の噴射口とシャフト２の表面との距離は、例えば２００ｍｍ程度とされる。
【００３２】
グラデーション部は、第一色から第二色へと徐々に変化する。第一色と第二色との相違は、色調の相違でもよく、色の濃度の相違でもよい。第一色と第二色とは、視覚的に何らかの相違があればよい。
【００３３】
グラデーション部を生成させるため、第一スプレーガン８から上記第一色の塗料が噴射され、第二スプレーガン１０から第二色の塗料が噴射される。グラデーション部は、第一色と第二色とを塗り重ねることにより形成される。
【００３４】
スプレーガン８、１０は、噴射口（ノズル）の両側に対向配置された一対の角部９を有する（図２参照）。噴射口からは、塗料が丸吹きされる。丸吹きとは、噴射状態が円錐状であることを意味する。角部９からは、エアが噴出される。このエアは、パターンエアとも称される。角部９から噴出されたパターンエアは、丸吹きされた塗料を両側から押しつぶす。押しつぶされた塗料の噴射状態は、楕円錐状となる。楕円錐状の噴射状態は、平吹きとも称される。角部９により、スプレーガン８、１０は、塗料の平吹きが可能とされている。平吹きされた塗料の塗装パターンは楕円状となる。楕円状の塗装パターンは、円形の塗装パターンと比べて、細長い物体への塗装に適する。楕円状の塗装パターンは、シャフト塗装における塗料の無駄を低減し塗装効率を向上させる。図２に示すように、対向配置された一対の角部９が上下に配置されるように、スプレーガン８、１０は設置される。楕円状の塗装パターンの長軸方向は、シャフト２のシャフト長手方向に略一致している。楕円状の塗装パターンの中心は、シャフト軸線ｚ１上に位置する。
【００３５】
図示されないが、スプレーガン８、１０は、塗料タンクと接続されている。塗料タンクは、エアコンプレッサーと接続されている。エアコンプレッサーにより、塗料タンクに所定のタンク圧送圧が付与される。塗料タンクは、所定のタンク圧送圧により塗料をスプレーガンに供給する。
【００３６】
図示されないが、スプレーガン８、１０は、エアトランスホーマと接続されている。エアトランスホーマは、エアコンプレッサーと接続されている。エアトランスホーマは、霧化エア及びパターンエアをスプレーガン８、１０に供給する。霧化エアやパターンエアのエア圧は調整されうる。霧化エア圧が高くされると塗料の噴射速度が増加する。パターンエア圧が高くされると、塗装パターンの楕円がより長楕円となる。
【００３７】
以下では、グラデーション部において下層となる色を第一色とし、上層となる色を第二色として、塗装の手順を説明する。図３は、第一実施形態の塗装方法について説明するための図である。図３に示すように、まず、第一スプレーガン８により、第一色の塗料が噴射される。第一色の塗料は、シャフト長手方向の第一領域ａ１に噴射される。第一領域ａ１を塗装させるため、第一スプレーガン８は移動範囲ｍ１を移動する。第一スプレーガン８の移動範囲とは、第一スプレーガン８の噴射の中心位置ｃ１の移動範囲を意味する。噴射角αの存在により、第一領域ａ１は移動範囲ｍ１よりも広くなる。ここで噴射角αとは、図３で示されるように、シャフト長手方向に沿った角度を意味している。
【００３８】
次に、第二スプレーガン１０により、第二色の塗料が噴射される。第二色の塗料は、シャフト長手方向の第二領域ａ２に噴射される。第二領域ａ２を塗装させるため、第二スプレーガン１０は移動範囲ｍ２を移動する。第二スプレーガン１０の移動範囲は、第二スプレーガン１０の噴射の中心位置ｃ２により確定される。噴射角βの存在により、第一領域ａ２は移動範囲ｍ２よりも広くなる。ここで噴射角βとは、図３で示されるように、シャフト長手方向に沿った角度を意味している。
【００３９】
第一領域ａ１と第二領域ａ２との重複部分ｔ１に、グラデーション部ｇが形成される。重複部分ｔ１において、第一色の塗料は、下地を隠蔽しうる程度に塗布されているのが好ましい。一方、重複部分ｔ１において、上層となる第二色の塗料は、下層である第一色を完全に隠蔽しない程度に塗布される。噴霧角α（又はβ）内における塗布量分布は、中心ほど多く、周囲ほど少なくなる。グラデーション部ｇの形成には、スプレーー噴射に伴う塗布量分布が利用される。第二領域ａ２の端部において、第二色の塗布量分布は、第二領域ａ２の端側ほど少なくなる。端側ほど少ない塗布量分布により、グラデーション部ｇが容易に形成されうる。
【００４０】
また、グラデーション部ｇは、スプレー噴射に伴う塗布量分布に依存することなく形成されうる。単位面積当たりの塗布量は、スプレーガンの単位時間当たりの噴射量やスプレーガンの移動速度などによっても変化しうる。よって、グラデーション部ｇは、例えばスプレーガンの移動速度を連続的又は段階的に変化させることによって形成されうる。
【００４１】
グラデーション部ｇにおいて、第一色の塗料と第二色の塗料とはウエット・オン・ウエットで塗り重ねられる。本発明者は、ウエット・オン・ウエットで塗り重ねることがグラデーション部ｇの外観向上に寄与することを見出した。グラデーション部ｇがウエット・オン・ウエットで塗り重ねられることにより、グラデーション部ｇのドット模様が目立たなくなると共に、グラデーション部ｇの表面が平滑化される。未乾燥の下層（第一色）は、溶剤の揮発が完了していない。未揮発の溶剤が残留する下層には、上層（第二色）として塗られた塗料の少なくとも一部が混合されうる。
【００４２】
グラデーション部ｇの美観向上及び塗装時間の短縮の観点から、グラデーション部ｇにおいて、第一色の塗装時刻と第二色の塗装時刻との時間差（以下、塗り重ね時間差ともいう）Ｔは、短いほど好ましい。具体的には、第一色の塗装時刻と第二色の塗装時刻との時間差Ｔは１０秒以下が好ましく、５秒以下がより好ましく、３秒以下が特に好ましい。
【００４３】
下層に対する上層の混合は、上層の塗料粒子の平滑化に寄与する。上層の塗料粒子の平滑化は、クリア塗装の省略又はクリア塗料の削減に寄与する。上層の塗料粒子の平滑化は、視覚上の光沢感を増加させ、美観の向上に寄与する。
【００４４】
下層に対する上層の混合により、ドット模様（散点模様）が目立たなくなる。ドット模様の目立たないグラデーション部ｇは、美観に優れる。ドット模様を目立たなくすることで、グラデーション部ｇの色の変化（色調や濃淡などの変化）がより一層連続的となる。
【００４５】
前述したように、スプレーガン８、１０においては、シャフト長手方向の位置及び移動速度が互いに独立して制御されうる。更に、スプレーガン８、１０においては、塗料を噴射する時刻と非噴射の時刻とが互いに独立して制御されうる。第一スプレーガン８と第二スプレーガン１０とを互いに独立して制御することにより、ウエット・オン・ウエットで塗装されたグラデーション部ｇが形成されうる。
【００４６】
図３で示されるように、本実施形態では、第一スプレーガン８の噴射中の移動範囲ｍ１と、第二スプレーガン１０の噴射中の移動範囲ｍ２とが互いに重複しない。スプレーガン８、１０の噴射角内においては、中心位置ｃ１、ｃ２において特に塗布量（単位面積当たりの塗布量）が多い。よって、重複部分ｔ１即ちグラデーション部ｇの形成において、移動範囲ｍ１と移動範囲ｍ２とが重複した場合、グラデーション部ｇが厚塗りとなりやすい。従来のように、グラデーション部ｇがウエット・オン・ドライで塗装される場合には、下層が乾燥済みであるため、グラデーション部ｇにおける塗料の液だれは生じにくい。しかし、ウエット・オン・ウエットで塗装される場合、下層が未乾燥であるため、グラデーション部ｇにおける塗料の液だれが生じやすい。移動範囲ｍ１と移動範囲ｍ２とを重複させないことは、グラデーション部ｇにおける過度の厚塗りを抑制する。ウエット・オン・ウエットでの過度の厚塗りが抑制されることにより、グラデーション部ｇにおける塗料の液だれが抑制される。
【００４７】
図１〜図３で示されるように、第一スプレーガン８と第二スプレーガン１０とは互いに同一直線上を移動する。両スプレーガン８、１０の移動軌跡を同一直線上とすることは、塗装装置４の簡略化及び小型化に寄与しうる。両スプレーガン８、１０の移動軌跡が同一直線上とされた場合、両スプレーガン８、１０は互いに干渉しうる。第一スプレーガン８と第二スプレーガン１０とは互いに衝突しうる。図１に示されるように、第一スプレーガン８が第二スプレーガン１０の左側に配置されている場合、第一スプレーガン８を第二スプレーガン１０の右側に移動させることはできない。本実施形態の塗装方法では、第一スプレーガン８と第二スプレーガン１０とが、互いに干渉しないように制御される。
【００４８】
以上のように、塗装装置４は、ウエット・オン・ウエットで塗装された１カ所のグラデーション部ｇを形成しうる。更に塗装装置４は、ウエット・オン・ウエットで塗装された２カ所以上のグラデーション部ｇを形成しうる。
【００４９】
次に、２カ所のグラデーション部ｇが形成される場合について説明がなされる。用いられる塗装装置は、前述した塗装装置４である。本実施形態では、グラデーション部ｇが２カ所となるように第一スプレーガン８及び第二スプレーガン１０が制御される。
【００５０】
図４は、第二実施形態の塗装方法を説明するための図である。
以下では、グラデーション部において下層となる色を第一色とし、上層となる色を第二色として、塗装の手順を説明する。第一スプレーガン８が第一色の塗料を噴射し、第二スプレーガン１０が第二色の塗料を噴射する点は、前述した第一実施形態と同様である。
【００５１】
本実施形態では、第一スプレーガン８及び第二スプレーガン１０の移動は、シャフト２の上記シャフトのバット端ｂ側からチップ端ｔ側への片道移動のみである。片道移動のみとされることは、塗装時間の短縮に寄与する。塗装前の初期状態（図示されない）において、第一スプレーガン８及び第二スプレーガン１０はいずれもバット端ｂ側近傍に配置される。
【００５２】
次に、第二スプレーガン１０が、バット端ｂ側からチップ端ｔ側への移動を開始する。移動中、第二スプレーガン１０は、移動範囲ｍ３及び移動範囲ｍ５において第二色の塗料を噴射する。
【００５３】
第二スプレーガン１０の移動開始時刻よりも後に、第一スプレーガン８が、バット端ｂ側からチップ端ｔ側への移動を開始ずる。移動中、第一スプレーガン８は、移動範囲ｍ４において第一色の塗料を噴射する（図４参照）。
【００５４】
第二スプレーガン１０と第一スプレーガン８との移動開始時刻の時間差（以下、遅延時間ともいう）ｄは、第一スプレーガン８と第二スプレーガン１０との干渉を防止するために設定される。もちろん、第一スプレーガン８と第二スプレーガン１０とが干渉しない限り、遅延時間ｄは不要である。つまり、第一スプレーガン８と第二スプレーガン１０との移動開始時刻が同時とされてもよい。また、第一スプレーガン８と第二スプレーガン１０とが干渉しない限り、第二スプレーガン１０よりも早く第一スプレーガン８の移動が開始されてもよい。干渉を防止するため、第一スプレーガン８と第二スプレーガン１０との移動開始位置が調整されうる。
【００５５】
図４では示されていないが、第一スプレーガン８が第二スプレーガン１０よりもバット端ｂ側（図４における左側）である位置関係は、塗装中においても不変である。したがって、塗装中において、第一スプレーガン８が第二スプレーガン１０よりも常時バット端ｂ側（図４における左側）となるように第一スプレーガン８及び第二スプレーガン１０が制御される。この制御により、第一スプレーガン８と第二スプレーガン１０との干渉が防止される。
【００５６】
第一スプレーガン８及び第二スプレーガン１０は、移動の途中で停止してもよく、移動途中で停止しなくてもよい。ただし、移動途中で停止しないことは、塗装時間の短縮に寄与する。また、移動途中で停止しないことは、アクチュエータ（塗装装置４では、モータ２６、２８及びボールネジ２０、２２など）の負担を軽減しうる。
【００５７】
塗装時間及び塗り重ね時間差Ｔを短縮する観点から、第一スプレーガン８の移動時刻と、第二スプレーガン１０の移動時刻とは重複しているのが好ましい。一方のスプレーガン（例えば第一スプレーガン８）の移動終了後に他方のスプレーガン（例えば第二スプレーガン１０）を移動させた場合、塗装時間が増加し、且つ、塗り重ね時間差Ｔが増加する。移動時刻が少なくとも一部で重複している場合、塗装時間及び塗り重ね時間差Ｔが短縮される。
【００５８】
塗装時間の短縮の観点から、非噴射中の第一スプレーガン８及び第二スプレーガン１０は、噴射中の第一スプレーガン８及び第二スプレーガン１０よりも高速で移動するのが好ましい。
【００５９】
第一スプレーガン８及び第二スプレーガン１０の制御条件として、次の条件が設定可能である。各制御条件は、前述した入力部から入力されうる。
【００６０】
第一スプレーガン８の条件として、次の各条件が設定されうる。
（１ａ）第一スプレーガン８の移動開始前の位置（初期位置）ｓ１（図示省略）
（１ｂ）噴射中の移動範囲ｍ４の開始位置ｐ１（図４参照）
（１ｃ）噴射中の移動範囲ｍ４の終了位置ｐ２
（１ｄ）第一スプレーガン８の移動終了位置ｓ２（図示省略）
（１ｅ）初期位置ｓ１から開始位置ｐ１までの移動速度ｆ１
（１ｆ）開始位置ｐ１から終了位置ｐ２までの移動速度ｆ２
（１ｇ）終了位置ｐ２から移動終了位置ｓ２までの移動速度ｆ３
【００６１】
第一スプレーガン８の非噴射の移動範囲は、初期位置ｓ１から開始位置ｐ１までの範囲と、終了位置ｐ２から移動終了位置ｓ２までの範囲である。
【００６２】
第二スプレーガン１０の条件として、次の各条件が設定されうる。
（２ａ）第二スプレーガン１０の移動開始前の位置（初期位置）ｓ３（図示省略）
（２ｂ）噴射中の移動範囲ｍ３の開始位置ｐ３
（２ｃ）噴射中の移動範囲ｍ３の終了位置ｐ４
（２ｄ）噴射中の移動範囲ｍ５の開始位置ｐ５
（２ｅ）噴射中の移動範囲ｍ５の終了位置ｐ６
（２ｆ）第二スプレーガン１０の移動終了位置ｓ４（図示省略）
（２ｇ）初期位置ｓ３から開始位置ｐ３までの移動速度ｆ４
（２ｈ）開始位置ｐ３から終了位置ｐ４までの移動速度ｆ５
（２ｉ）終了位置ｐ４から開始位置ｐ５までの移動速度ｆ６
（２ｊ）開始位置ｐ５から終了位置ｐ６までの移動速度ｆ７
（２ｋ）終了位置ｐ６から移動終了位置ｓ４までの移動速度ｆ８
【００６３】
第二スプレーガン１０の非噴射の移動範囲は、初期位置ｓ３から開始位置ｐ３までの範囲と、終了位置ｐ４から開始位置ｐ５までの範囲と、終了位置ｐ６から移動終了位置ｓ４までの範囲である。
【００６４】
第一スプレーガン８と第二スプレーガン１０との相互関係を示す条件として、次の条件が設定されうる。
（３ａ）第一スプレーガン８と第二スプレーガン１０との移動開始時刻の時間差、即ち、前述した遅延時間ｄ
【００６５】
図４が示すように、移動範囲ｍ３により塗布された第一領域ａ３と、移動範囲ｍ４により塗布された第二領域ａ４との重複部分ｔ２が、グラデーション部ｇとなる。また、移動範囲ｍ４により塗布された第二領域ａ４と、移動範囲ｍ５により塗布された第三領域ａ５との重複部分ｔ３が、グラデーション部ｇとなる。
【００６６】
各条件（１ａ）〜（１ｇ）、（２ａ）〜（２ｋ）及び（３ａ）は、第一スプレーガン８と第二スプレーガン１０との非干渉を考慮して決定されうる。各条件（１ａ）〜（１ｇ）、（２ａ）〜（２ｋ）及び（３ａ）は、塗装時間の短縮化を考慮して決定されうる。各位置ｐ１〜ｐ６は、グラデーション部ｇの範囲及び位置を考慮して決定されうる。各速度ｆ１〜ｆ８は、単位面積当たりの塗布量を考慮して決定されうる。
【００６７】
上記条件以外にも、例えば各位置における停止時間などが設定されうる。移動途中において第一スプレーガン８及び第二スプレーガン１０は停止させなくてもよい。各移動速度ｆ１〜ｆ８は、等速とされなくてもよい。
【００６８】
図５は、本発明の第三実施形態を示す図である。図６は、図５のVI−VI線に沿った断面図である。本実施形態では、前述した塗装装置４とは異なる塗装装置３０が用いられる。塗装装置４では、シャフト２が水平に固定される。換言すれば、塗装装置４では、シャフト２が横置きとされる。これに対して、塗装装置３０では、シャフト２が鉛直に固定される。換言すれば、塗装装置３０では、シャフト２が縦置きとされる。
【００６９】
塗装装置３０は、シャフト２を保持するシャフト保持部３２と、第一スプレーガン３４と、第二スプレーガン３６と、第一スプレーガン３４及び第二スプレーガン３６を駆動するガン駆動部（図示されない）とを有する。図５では、噴射口側から正面視された第一スプレーガン３４及び第二スプレーガン３６が円にて簡易的に示される。ガン駆動部は、ガンを支持する２つの支持体、２本のボールネジ、２個のサーボモータ、２本のリニアガイド等を備える。このガン駆動部は縦置きとされている。即ち、２本のボールネジ及び２本のリニアモータの長手方向は鉛直方向に配置されている。第一スプレーガン３４及び第二スプレーガン３６は鉛直方向に移動する。このガン駆動部の構造は、縦置きとされた以外は塗装装置４と同様であるので説明を省略する。
【００７０】
塗装装置３０は、２本のシャフト２を同時に塗装しうる。シャフト保持部３２は、４本のシャフト２を同時に保持しうる。シャフト保持部３２は、２本のシャフトを略平行に保持しうる第一保持部３８と、２本のシャフトを略平行に保持しうる第二保持部４０とを有している。第一保持部３８は、シャフト４２及びシャフト４４を保持している。第二保持部４０は、シャフト４６及びシャフト４８を保持している。第一保持部３８及び第二保持部４０は、ギア等を介して各シャフトを軸回転させるモータ５０を備えている。モータ５０により、シャフト４２、シャフト４４、シャフト４６及びシャフト４８は軸回転する。
【００７１】
第一保持部３８が塗装ポジションＤ１に配置されることにより、第一保持部３８に保持された２本のシャフト４２、４４はスプレーガン３４、３６の前方に配置される。塗装ポジションＤ１に位置するシャフト４２、４４に沿ってスプレーガン３４、３６が移動する（図５の白抜き矢印参照）。第一保持部３８が塗装ポジションＤ１に位置するとき、第二保持部４０は準備ポジションＤ２に位置する。
【００７２】
塗装装置３０は、回転軸５２と、この回転軸５２に回転可能に支持されるとともに第一保持部３８と第二保持部４０とを一体的に支持する回転部５４とを有する。回転軸５２を中心として回転部５４を回転させることにより、第一保持部３８の位置と第二保持部４０の位置とを入れ替えることができる。図５に示された状態では、第一保持部３８が塗装ポジションＤ１に位置し且つ第二保持部４０が準備ポジションＤ２に位置する。回転部５４の回転により、第一保持部３８が準備ポジションＤ２に位置し且つ第二保持部４０が塗装ポジションＤ１に位置しうる。回転部５４の１８０度の回転により、第一保持部３８の位置と第二保持部４０の位置とが入れ替わる。塗装装置３０は、第一保持部３８及び第二保持部４０を塗装ポジションＤ１に位置させるための位置決め機構を有している。
【００７３】
塗装ポジションＤ１において塗装がなされている間に、準備ポジションＤ２に塗装前のシャフトがセットされうる。塗装ポジションＤ１において塗装が終了した時点で、回転部５４を回転させることにより、塗装前のシャフトが塗装ポジションＤ１に配置され、塗装後のシャフトが準備ポジションＤ２に配置されうる。準備ポジションＤ２に配置された塗装後のシャフトは取り外され、新たな塗装前シャフトがセットされうる。塗装ポジションＤ１におけるシャフトの塗装、回転部５４の回転、準備ポジションＤ２における塗装後シャフトの取り外し及び準備ポジションＤ２における塗装前シャフトのセットを繰り返すことにより、シャフト塗装の量産性が高まる。
【００７４】
塗装装置３０は、２本のシャフトを同時に塗装しうる。図６で示されるように、塗装ポジションＤ１に位置する２本のシャフト４２、４４が同時に塗装される。同時に塗装される２本のシャフト４２、４４のシャフト軸線は互いに平行とされる。スプレーガン３４、３６の噴射口からシャフトまでの距離は、シャフト４２とシャフト４４とにおいて等しい。
【００７５】
同時に塗装されるシャフト４２とシャフト４４との間には、間隔Ｋが存在する。スプレーガン３４、３６の噴射の中心線Ｌは、間隔Ｋの中心に配向される（図６参照）。噴射の中心線Ｌを間隔Ｋの中心に配向させることにより、シャフト４２、４４への塗料の付着量が２本のシャフト間で均等化される。
【００７６】
シャフト４２、４４の軸回転の方向は、両シャフト４２、４４間に噴射される塗料の流れに沿った方向とされるのが好ましい。噴射された塗料は、隙間Ｋをスプレーガン３４、３６側からスプレーガン３４、３６の反対側に向かって（図６において上から下へ）流れる。シャフト４２の軸回転の方向ｒ１は、両シャフト４２、４４間に噴射される塗料の流れに沿った方向（図６における時計回り方向）である。シャフト４４の軸回転の方向ｒ２は、両シャフト４２、４４間に噴射される塗料の流れに沿った方向（図６における反時計回り方向）である。両シャフト４２、４４間に噴射される塗料の流れに沿った方向にシャフトを軸回転させることは、噴射された気流の乱れを抑制する。気流の乱れの抑制は、シャフトの周方向における塗布量の均等化に寄与する。
【００７７】
本発明では、シャフトの全体又は一部が塗装される。本発明のシャフト塗装方法と、他の塗装方法とが組み合わされても良い。
【００７８】
塗装されたシャフトの後端部（バット端ｂ近傍）には、グリップが装着される。塗装されたシャフトの先端部（チップ端ｔ近傍）には、ヘッドが装着される。グリップで覆われるシャフト後端部は、塗装される必要がない。ヘッドのシャフト穴に挿入されるシャフト先端部は、塗装される必要がない。シャフト穴に挿入されるシャフト先端部の塗料は、ヘッドとシャフトとの接着を阻害しうる。接着強度を上げるため、シャフト穴に挿入されるシャフト先端部の塗料は、表面バフにより除去される。
【００７９】
塗料の無駄を防止する観点から、シャフトの後端部に塗装されない塗装なし部が設けられるようにスプレーガンが制御されるのが好ましい。後端側の塗装無し部の長さＹ１（図３参照）は、１５０ｍｍ以上が好ましく、２００ｍｍ以上がより好ましい。グリップの長さを考慮して、後端側の塗装無し部の長さＹ１は３００ｍｍ以下が好ましく、２８０ｍｍ以下がより好ましい。
【００８０】
塗料の無駄を防止する観点及びシャフト先端の表面バフ工程を簡略化する観点から、シャフトの先端部に塗装されない塗装なし部が設けられるようにスプレーガンが制御されるのが好ましい。先端側の塗装無し部の長さＹ２（図３参照）は、４０ｍｍ以上が好ましく、６０ｍｍ以上がより好ましい。ヘッドのシャフト穴に挿入される長さを考慮して、先端側の塗装無し部の長さＹ２は１００ｍｍ以下が好ましく、８０ｍｍ以下がより好ましい。
【００８１】
前述した実施形態では、ボールネジとサーボモータとを有するアクチュエータによりスプレーガンが駆動された。ボールネジに代わり、タイミングベルトとプーリとの組み合わせ機構、ラックアンドピニオン機構及びチェーンとスプロケットとの組み合わせ機構などの各種機構を用いることができる。ただし、位置及び速度の制御精度の観点からは、ボールネジを用いるのが好ましい。  
【００８２】
略楕円形の塗装パターンをより細長く（長軸に対して短軸を短く）して塗料の無駄を抑制する観点から、スプレーガンのパターンエア圧は、０．１Ｍｐａ以上が好ましい。噴射の気流の乱れを抑制しグラデーション部ｇの美観を向上させる観点から、スプレーガンのパターンエア圧は、０．３Ｍｐａ以下が好ましく、０．１９Ｍｐａ以下がより好ましい。
【００８３】
シャフトの周方向における塗装の均一性の観点から、パターンエア圧γ１と霧化エアー圧γ２との差（γ１−γ２）は０．０１Ｍｐａ以上とされるのが好ましい。噴射の気流の乱れを抑制して塗装の美観を向上させる観点から、差（γ１−γ２）は０．１Ｍｐａ以下とされるのが好ましい。  
【００８４】
第一スプレーガンと第二スプレーガンとが同時に噴射中の場合において、第一スプレーガンと第二スプレーガンとのシャフト長手方向距離Ｗ（図示されない）は、５０ｍｍ以上が好ましい。５０ｍｍ以上とすることにより、スプレーガン相互間における噴射気流の相互干渉が抑制され、グラデーション部ｇの美観が向上する。よって距離Ｗは１００ｍｍ以上がより好ましく、１４０ｍｍ以上が特に好ましい。第一スプレーガン及び第二スプレーガンの制御パターンの自由度を過度に低下させない観点から、上記距離Ｗは３００ｍｍ以下が好ましく、２５０ｍｍ以下が更に好ましい。
【実施例】
【００８５】
以下、実施例によって本発明の効果が明らかにされるが、この実施例の記載に基づいて本発明が限定的に解釈されるべきではない。
【００８６】
前述した第二実施形態の塗装方法に基づき、２カ所のグラデーション部ｇを形成する塗装がなされた。塗料としては、ミクニペイント社製のＮＹ系着色塗料（ウレタン系）を用いた。第一色の塗料としてブラックメタリック色の塗料を用いた。第二色の塗料としてグリーンメタリック色の塗料を用いた。第一色、第二色とも、主剤と硬化剤とシンナーとの混合比は、主剤４に対して、硬化剤が１とされ、シンナーが５とされた。シャフトの全長は、１１６８ｍｍである。
【００８７】
第一スプレーガン８及び第二スプレーガン１０として、アネスト岩田社製のＬＲＡ−２００−１２２ＰＶが用いられた。塗料タンク（圧送タンク）として、アネスト岩田社製のＰＣ−１８Ｄが用いられた。
【００８８】
第一スプレーガン８に関し、霧化エア圧は０．１４Ｍｐａとされ、パターンエア圧は０．１６Ｍｐａとされ、タンク圧送圧は０．１３０Ｍｐａとされ、ニードル開度は６ノッチとされた。ニードル開度は、数値が大きいほど噴射口の開き度合いが大きいことを示す。第一スプレーガン８の吐出量は、１０秒間当たり１１．８ｇであった。
【００８９】
第二スプレーガン１０に関し、霧化エア圧は０．１４Ｍｐａとされ、パターンエア圧は０．１６Ｍｐａとされ、タンク圧送圧は０．１２０Ｍｐａとされ、ニードル開度は７ノッチとされた。第二スプレーガン１０の吐出量は、１０秒間当たり１３．５ｇであった。
【００９０】
前述した第二実施形態で説明された通り、第一スプレーガン８及び第二スプレーガン１０の移動は、シャフト２の上記シャフトのバット端ｂ側からチップ端ｔ側への片道移動のみとした。第一スプレーガン８及び第二スプレーガン１０は、途中で停止することなく移動した。
【００９１】
第一スプレーガン８の設定条件は以下の通りとした。なお、下記の各位置は、シャフトのバット端ｂが基準位置（０ｍｍ）とされたシャフト長手方向の位置であり、バット端ｂよりもチップ端ｔ側の位置がプラスの数値で示され、その逆側（図４において、バット端ｂよりも左側）の位置がマイナスの数値で示される。
（１ａ）第一スプレーガン８の初期位置ｓ１                  ・・・−１００ｍｍ
（１ｂ）噴射中における移動範囲ｍ４の開始位置ｐ１          ・・・  ４１０ｍｍ
（１ｃ）噴射中における移動範囲ｍ４の終了位置ｐ２          ・・・  ６５０ｍｍ
（１ｄ）第一スプレーガン８の移動終了位置ｓ２              ・・・  ６７０ｍｍ
（１ｅ）初期位置ｓ１から開始位置ｐ１までの移動速度ｆ１    ・・・  ２５０mm/sec
（１ｆ）開始位置ｐ１から終了位置ｐ２までの移動速度ｆ２    ・・・    ６０mm/sec
（１ｇ）終了位置ｐ２から移動終了位置ｓ２までの移動速度ｆ３・・・  ２５０mm/sec
【００９２】
第二スプレーガン１０の設定条件は以下の通りとした。
（２ａ）第二スプレーガン１０の初期位置ｓ３                ・・・    ４０ｍｍ
（２ｂ）噴射中の移動範囲ｍ３の開始位置ｐ３                ・・・  １５０ｍｍ
（２ｃ）噴射中の移動範囲ｍ３の終了位置ｐ４                ・・・  ３９０ｍｍ
（２ｄ）噴射中の移動範囲ｍ５の開始位置ｐ５                ・・・  ６７０ｍｍ
（２ｅ）噴射中の移動範囲ｍ５の終了位置ｐ６                ・・・１１００ｍｍ
（２ｆ）第二スプレーガン１０の移動終了位置ｓ４            ・・・１１２０ｍｍ
（２ｇ）初期位置ｓ３から開始位置ｐ３までの移動速度ｆ４    ・・・  ２５０mm/sec
（２ｈ）開始位置ｐ３から終了位置ｐ４までの移動速度ｆ５    ・・・  １００mm/sec
（２ｉ）終了位置ｐ４から開始位置ｐ５までの移動速度ｆ６    ・・・  ２５０mm/sec
（２ｊ）開始位置ｐ５から終了位置ｐ６までの移動速度ｆ７    ・・・  １００mm/sec
（２ｋ）終了位置ｐ６から移動終了位置ｓ４までの移動速度ｆ８・・・  ２５０mm/sec
【００９３】
（３ａ）第一スプレーガン８と第二スプレーガン１０との移動開始時刻の時間差、即ち、前述した遅延時間ｄは、１．９秒とした。即ち、第二スプレーガン１０の移動開始から１．９秒後に第一スプレーガン８が移動を開始した。
【００９４】
本実施例では、第一スプレーガン８と第二スプレーガン１０とは干渉しなかった。遅延時間ｄは、第一スプレーガン８と第二スプレーガン１０との非干渉に寄与した。上記塗装に要した時間は、８秒であった。本実施例では、非噴射中の移動速度ｆ１、ｆ３、ｆ４、ｆ６及びｆ８は、噴射中の移動速度ｆ２、ｆ５及びｆ７よりも高速とされた。本実施例によれば、２カ所のグラデーション部ｇを含むシャフト塗装が極めて短時間で完了した。またグラデーション部ｇはウエット・オン・ウエットで塗装されたので、グラデーション部ｇの美観は優れていた。本実施例では、グラデーション部ｇ以外の部分における第一色と第二色との塗り重ねが抑制され、塗料の無駄な使用が低減された。
【図面の簡単な説明】
【００９５】
【図１】図１は、本発明の第一実施形態の塗装方法が実施されている様子を上から見た平面図である。
【図２】図２は、図１の側面図である。
【図３】図３は、本発明の第一実施形態の塗装方法を説明するための図である。
【図４】図４は、本発明の第二実施形態の塗装方法を説明するための図である。
【図５】図５は、本発明の第三実施形態の塗装方法が実施されている様子を示す図である。
【図６】図６は、図５のVI−VI線に沿った断面図である。
【符号の説明】
【００９６】
２、４２、４４、４６、４８・・・ゴルフクラブシャフト
４、３０・・・塗装装置
６、３２・・・シャフト保持部
８、３４・・・第一スプレーガン
１０、３６・・・第二スプレーガン
１８・・・リニアガイド
２０・・・第一ボールネジ
２２・・・第二ボールネジ
ｍ１、ｍ４・・・第一スプレーガンの塗装中の移動範囲
ｍ２、ｍ３、ｍ５・・・第二スプレーガンの塗装中の移動範囲
ａ１、ａ３・・・第一領域
ａ２、ａ４・・・第二領域
ａ５・・・第三領域
ｔ１、ｔ２、ｔ３・・・重複部分
ｇ・・・グラデーション部
【図１】
0004614862.tif 000002
【図２】
0004614862.tif 000003
【図３】
0004614862.tif 000004
【図４】
0004614862.tif 000005
【図５】
0004614862.tif 000006
【図６】
0004614862.tif 000007